(57)【要約】【課題】レシートを発行する場合にレシート用紙の使用量を削減することができない。【解決手段】実施形態の販売データ処理装置は、表示制御手段と、選択受付手段と、印刷データ生成手段とを備える。表示制御手段は、会計情報がテキスト印字されたレシートを発行する旨の選択と、前記レシートを発行しない旨の選択と、前記会計情報を含むコードシンボルを印刷したレシートを発行する旨の選択とから、いずれか１つを受付ける選択受付画面を表示する。選択受付手段は、前記選択受付画面から、いずれか１つの選択を受付ける。印刷データ生成手段は、前記選択受付手段が受付けた前記選択に応じて、前記会計情報の印字データを含む印刷データ、または、前記会計情報をコード変換して得られるコードシンボルを含む印刷データを生成する。【選択図】図３
2012003499.tif 000002
【特許請求の範囲】
【請求項１】
会計情報がテキスト印字されたレシートを発行する旨の選択と、前記レシートを発行しない旨の選択と、前記会計情報を含むコードシンボルを印刷したレシートを発行する旨の選択とから、いずれか１つを受付ける選択受付画面を表示する表示制御手段と、
前記選択受付画面から、いずれか１つの選択を受付ける選択受付手段と、
前記選択受付手段が受付けた前記選択に応じて、前記会計情報の印字データを含む印刷データ、または、前記会計情報をコード変換して得られるコードシンボルを含む印刷データを生成する印刷データ生成手段と、
を備えたことを特徴とする販売データ処理装置。
【請求項２】
前記印刷データ生成手段は、前記会計情報が１つのコードシンボルに相当するデータ量を上回る場合には、前記会計情報を複数に分割して、複数のコードシンボルを生成すること、を特徴とする請求項１に記載の販売データ処理装置。
【請求項３】
前記印刷データ生成手段は、前記複数のコードシンボルのそれぞれに対して、前記会計情報の分割順を示す分割番号を付して前記印刷データを生成すること、を特徴とする請求項２に記載の販売データ処理装置。
【請求項４】
前記印刷データ生成手段は、前記会計情報から複数のコードシンボルを生成する場合には、分割された前記会計情報のそれぞれに前記分割番号を含めて、前記各コードシンボルを生成すること、を特徴とする請求項２または３に記載の販売データ処理装置。
【請求項５】
前記印刷データ生成手段は、商品の明細情報を含むコードシンボルとは別に、商品の明細情報以外の前記会計情報を含むコードシンボルを生成すること、を特徴とする請求項１ないし４のいずれか１つに記載の販売データ処理装置。
【請求項６】
販売データ処理装置において、コンピュータを、
会計情報がテキスト印字されたレシートを発行する旨の選択と、前記レシートを発行しない旨の選択と、前記会計情報を含むコードシンボルを印刷したレシートを発行する旨の選択とから、いずれか１つを受付ける選択受付画面を表示する表示制御手段と、
前記選択受付画面から、いずれか１つの選択を受付ける選択受付手段と、
前記選択受付手段が受付けた前記選択に応じて、前記会計情報の印字データを含む印刷データ、または、前記会計情報をコード変換して得られるコードシンボルを含む印刷データを生成する印刷データ生成手段と、
して機能させるためのプログラム。
【発明の詳細な説明】
【技術分野】
【０００１】
本発明の実施形態は、販売データ処理装置およびプログラムに関する。
【背景技術】
【０００２】
従来、店舗における会計処理時には、ＰＯＳ（Point  Of  Sales：販売時点データ管理）端末によってレシートが発行されて客に手渡される。客は、このレシートにより購入明細や支払い情報などの会計情報を確認したり、返品処理時に利用したりすることができる。ところが、レシートを保管する必要性が低いと感じた場合、客はレシートの内容を確認してその場でレシートを廃棄してしまうことが多い。
【０００３】
そこで、レシート印刷にかかる諸経費を削減するとともに、環境負荷を低減するためにも、レシートに用いられる紙資源の削減が望まれている。例えば、従来技術としては、レシート発行ボタンを押した場合にのみレシートを発行する技術が開示されている。
【発明の概要】
【発明が解決しようとする課題】
【０００４】
しかしながら、従来技術においては、レシートを発行する場合にレシート用紙の使用量を削減することができないという課題がある。
【課題を解決するための手段】
【０００５】
実施形態の販売データ処理装置は、表示制御手段と、選択受付手段と、印刷データ生成手段とを備える。表示制御手段は、会計情報がテキスト印字されたレシートを発行する旨の選択と、前記レシートを発行しない旨の選択と、前記会計情報を含むコードシンボルを印刷したレシートを発行する旨の選択とから、いずれか１つを受付ける選択受付画面を表示する。選択受付手段は、前記選択受付画面から、いずれか１つの選択を受付ける。印刷データ生成手段は、前記選択受付手段が受付けた前記選択に応じて、前記会計情報の印字データを含む印刷データ、または、前記会計情報をコード変換して得られるコードシンボルを含む印刷データを生成する。
【０００６】
実施形態のプログラムは、コンピュータを、表示制御手段と、選択受付手段と、印刷データ生成手段として機能させる。表示制御手段は、会計情報がテキスト印字されたレシートを発行する旨の選択と、前記レシートを発行しない旨の選択と、前記会計情報を含むコードシンボルを印刷したレシートを発行する旨の選択とから、いずれか１つを受付ける選択受付画面を表示する。選択受付手段は、前記選択受付画面から、いずれか１つの選択を受付ける。印刷データ生成手段は、前記選択受付手段が受付けた前記選択に応じて、前記会計情報の印字データを含む印刷データ、または、前記会計情報をコード変換して得られるコードシンボルを含む印刷データを生成する。
【図面の簡単な説明】
【０００７】
【図１】図１は、ＰＯＳ端末の構成を示す外観斜視図である。
【図２】図２は、ＰＯＳ端末の電装系の構成を示すブロック図である。
【図３】図３は、登録画面の一例を示す正面図である。
【図４】図４は、従来のレシートの一例を示す図である。
【図５】図５は、２次元コードレシートの一例を示す図である。
【図６】図６は、複数の２次元コードを含む２次元コードレシートの一例を示す図である。
【図７】図７は、レシート印刷処理の手順を説明するフローチャートである。
【図８】図８は、２次元コード生成処理の手順を説明するフローチャートである。
【図９】図９は、第２の実施形態にかかる２次元コードレシートの一例を示す図である。
【図１０】図１０は、２次元コード生成処理の手順を説明するフローチャートである。
【図１１】図１１は、客用ディスプレイに表示される選択受付画面の一例を示す図である。
【発明を実施するための形態】
【０００８】
（第１の実施形態）
図１は、本実施の形態にかかるＰＯＳ端末１の構成を概略的に示した外観斜視図である。ＰＯＳ端末１は、現金等を収容するためのドロワ１２の上に載置されており、このドロワ１２の引出し１２ａの開閉を制御する。ＰＯＳ端末１の正面側には、登録、点検、精算、設定などの各種業務モードを選択するためのモードキー１４が設けられている。また、ＰＯＳ端末１の正面に設けられたキーボード１３には、オペレータ（店員）が、例えば預かり金額などを置数するための置数キーや、１商取引として販売登録が行われた商品の合計出力を指示する現計キーなど、各種操作入力を行うための操作キーが配置されている。また、キーボード１３に近接する位置には、会員カードやクレジットカード等の磁気カード２に記憶された各種磁気情報を読み取るカードリーダ１１が設けられている。
【０００９】
ＰＯＳ端末１には、商品などに付与されたバーコードを読取るためのスキャナ１９が接続されている。また、ＰＯＳ端末１には、正面側には店員用ディスプレイ１５が、背面側には客用ディスプレイ１６が取り付けられている。店員用ディスプレイ１５および客用ディスプレイ１６は販売登録された商品の品名、価格や、販売登録の終了が宣言された１商取引の合計金額、釣銭額などを表示する。また、これらディスプレイとしては、液晶カラーディスプレイ等が用いられる。店員用ディスプレイ１５および客用ディスプレイ１６の表面にはタッチパネル２５および２６が設けられており、タッチ入力が可能となっている。また、ＰＯＳ端末１は、レシート、ジャーナルやクーポン券等を印字するプリンタ１７を内蔵している。プリンタ１７によって印字されたレシートやジャーナルはＰＯＳ端末１の正面側に形成されたレシート発行口１８から発行される。
【００１０】
図２は、ＰＯＳ端末１の電装系の構成を示すブロック図である。ＰＯＳ端末１は、ＣＰＵ（Central  Processing  Unit）と、記憶部として機能するＲＯＭ（Read  Only  Memory）およびＲＡＭ（Random  Access  Memory）（いずれも不図示）等から構成されるコンピュータ構成の制御部３１を備えている。ＲＯＭは、ＣＰＵが実行する各種プログラムや各種データを記憶する。ＲＡＭは、ＣＰＵが各種プログラムを実行する際に一時的にデータやプログラムを記憶する。また、ＲＡＭは、商品の販売記録を示す販売データや、店員用ディスプレイ１５や客用ディスプレイ１６に表示する各種の画面表示データを一時的に記憶するものである。
【００１１】
制御部３１は、Ｉ／Ｏ機器制御部３４およびバス３２を介して、キーボード１３、店員用ディスプレイ１５、客用ディスプレイ１６、タッチパネル２５、２６、プリンタ１７、スキャナ１９、カードリーダ１１、ＨＤＤ４０等のＩ／Ｏ機器を制御し、ＰＯＳ端末１のシステム全体を制御するものである。また、制御部３１は、通信Ｉ／Ｆ３３を介してＬＡＮ（Local  Area  Network）で接続されたストアサーバ（不図示）と相互に通信を行うことが可能となっている。本実施の形態のＰＯＳ端末１は、１台のＰＯＳ端末１が単独で商品登録および商品販売登録等を行っても良い。或いは、店舗内に複数のＰＯＳ端末１が設置される場合には、これら複数のＰＯＳ端末１をストアサーバに接続して、商品登録および商品販売登録等の処理を一括して管理するように構成してもよい。
【００１２】
また、制御部３１は、図２に示すように、表示制御部３５と、選択受付部３６と、印刷データ生成部３７とを主に備えている。
【００１３】
表示制御部３５は、制御部３１が生成する表示データにより、商品の販売登録を行う登録画面Ｄ（図３参照）や、各種設定を行う設定画面等を、Ｉ／Ｏ機器制御部３４を介して店員用ディスプレイ１５にカラー表示させる。また、表示制御部３５は、制御部３１が生成する表示データにより、販促メッセージや登録された商品名および金額などを表示する画面を客用ディスプレイ１６にカラー表示させる。
【００１４】
図３は、店員用ディスプレイ１５に表示される登録画面Ｄの一例を示す図である。図示するように、店員用ディスプレイ１５には、スキャナ１９から読み込まれた商品コードや商品名、単価、点数、金額といった販売登録情報や、登録された全商品に対する小計や内税、値引合計金額、そして商品販売登録時に順次算出される合計金額が表示される。また、登録画面Ｄには、一会計の締め処理を行うための現計キーが設けられている。店員は全ての商品を登録し終えた場合に、当該現計キーもしくはキーボード１３（図１参照）に設けられた現計キーを押下して、一会計の締め処理を行う。
【００１５】
尚、登録画面Ｄにおいて上述のように登録された、各商品の商品名や金額などの「明細情報」と、一取引の合計金額や預かり金額、釣銭、そして現金払いやカード払い等の支払いに関する「支払い情報」とを総括して、「会計情報」と称する。
【００１６】
表示制御部３５は、キーボード１３または登録画面Ｄの現計キーが押下またはタッチされて選択された場合に、レシートの発行に関する選択を受付ける選択受付ボタンを店員用ディスプレイ１５に表示する。選択受付ボタンとしては、図３に示すように、レシート発行ボタンａや、レシート不要ボタンｂ、そして２次元コードレシート発行ボタンｃが表示される。
【００１７】
選択受付部３６は、タッチパネル２５に対するタッチ入力を検出して、登録画面Ｄにおいてレシート発行ボタンａ、レシート不要ボタンｂ、２次元コードレシート発行ボタンｃのいずれか１つが選択されたことを受付ける。
【００１８】
即ち、選択受付部３６は、登録画面Ｄにおいてレシート発行ボタンａが選択された場合に、登録画面Ｄにおいて登録された会計情報をテキスト印字によって印刷する従来のレシートＲａ（図４参照）を発行する旨の選択を受付ける。また、選択受付部３６は、登録画面Ｄにおいてレシート不要ボタンｂが選択された場合に、レシートを発行しないで会計処理を終了する旨の選択を受付ける。さらに、選択受付部３６は、登録画面Ｄにおいて２次元コードレシート発行ボタンｃが選択された場合に、会計情報を含む２次元コードを印刷した２次元コードレシートＲ（図５参照）を発行する旨の選択を受付ける。
【００１９】
このように、登録画面Ｄ（図３参照）は、本実施の形態にかかる選択受付画面として機能するものである。
【００２０】
印刷データ生成部３７は、選択受付部３６が受付けた選択に応じて、会計情報の印字データ、または、会計情報をコード変換して得られる２次元コード等のコードシンボルを含む印刷データを生成する。
【００２１】
また、印刷データ生成部３７は、選択受付部３６が従来のレシートＲａ（図４参照）を発行する旨の選択を受付けた場合に、従来から一般的に用いられているレシートＲａ（図４参照）用の印刷データを生成する。
【００２２】
より具体的には、印刷データ生成部３７は、登録画面Ｄ（図３参照）において登録された会計情報から、テキスト印字データを生成する。また、印刷データ生成部３７は、生成した印字データと、店名や電話番号、レシート番号や会計日時等のテキスト情報とによって、従来のレシートＲａを印刷する印刷データを生成する。生成された印刷データは、制御部３１からＩ／Ｏ機器制御部３４を介してプリンタ１７に送出され、プリンタ１７によってレシート用紙に印字される。そして、図４に示すような従来のレシートＲａがレシート発行口１８から発行される。尚、印刷データには、店舗のロゴマークなどの画像データが含まれてもよい。
【００２３】
一方、印刷データ生成部３７は、選択受付部３６が２次元コードレシートＲを発行する旨の選択を受付けた場合に、登録画面Ｄ（図３参照）において登録された会計情報をＲＡＭのワークエリアに読み込む。そして、印刷データ生成部３７は、読み込んだ会計情報をコード変換することにより、２次元コードなどのコードシンボルの画像データを生成する。そして、印刷データ生成部３７は、生成した２次元コードの画像データと、店名や電話番号、レシート番号や会計日時等のテキスト情報とを用いて、２次元コードレシートＲの印刷データを生成する。そして、生成された印刷データは、制御部３１からＩ／Ｏ機器制御部３４を介してプリンタ１７に送出され、プリンタ１７によってレシート用紙に印刷されて、レシート発行口１８から発行される。
【００２４】
図５は、ＰＯＳ端末１が発行する２次元コードレシートＲの一例を示す図である。図５に示すように、２次元コードレシートＲには、店名や電話番号、レシート番号や会計日時とともに、上述のようにして生成された２次元コードが印刷される。
【００２５】
また、印刷データ生成部３７は、会計情報が１つの２次元コードに相当するデータ量を上回る場合には、会計情報を複数に分割して図６に示すように、複数の２次元コードを生成する。
【００２６】
図６は、複数の２次元コードを含む２次元コードレシートＲの一例を示す図である。図６に示すように、印刷データ生成部３７は、複数の２次元コードのそれぞれに対して、会計情報の分割順を示す分割番号を付して印刷データを生成する。これにより、客がカメラ等によって２次元コードを読み込む際に、読み込む順番を識別することができる。
【００２７】
次に、ＰＯＳ端末１が実行するレシート印刷処理の手順について説明する。図７は、ＰＯＳ端末１が実行するレシート印刷処理の手順を示すフローチャートである。
【００２８】
店員は、商品に付されたバーコードをスキャナ１９（図１参照）で読み取って客が購入する商品を登録する（ステップＳ１）。表示制御部３５は、店員用ディスプレイ１５に表示した登録画面Ｄにおいて、登録された商品の商品名や価格等を図３に示すように順次表示する。
【００２９】
制御部３１は、登録画面Ｄ（図３参照）の現計キーあるいはキーボード１３（図１参照）の現計キーが押下されたか否か判定する（ステップＳ２）。現計キーが押下されていない場合（ステップＳ２：Ｎｏ）には、ステップＳ１に戻って商品登録を続行する。現計キーが押された場合（ステップＳ２：Ｙｅｓ）に、表示制御部３５は、登録画面Ｄに選択受付ボタンとして、レシート発行ボタンａと、レシート不要ボタンｂと、２次元コードレシート発行ボタンｃとを表示する（ステップＳ３）。店員は、客に対してレシートの要・不要、および２次元コードレシートを発行するか否かの要望を聞き、客の要望に沿う選択受付ボタンをタッチパネル２５から選択する。そして、選択受付部３６は、店員用ディスプレイ１５のタッチパネル２５に対するタッチ入力に応じて、レシート発行に関する選択を受付ける。
【００３０】
選択受付部３６によって、レシート不要ボタンｂが押された旨を受付けた場合（ステップＳ４：Ｙｅｓ）には、レシートを発行せずにこの会計に係る登録処理を終了する。一方、レシート不要ボタンｂが押された旨を受付けていない場合（ステップＳ４：Ｎｏ）には、ステップＳ５に移行してレシート発行ボタンａが押されたか判定する。
【００３１】
レシート発行ボタンａが押された旨を受付けた場合（ステップＳ５：Ｙｅｓ）には、テキスト印字による従来のレシートＲａ（図４参照）の印刷データを生成する処理を行う（ステップＳ６）。そして、プリンタ１７によって生成した印刷データをレシート用紙に印刷し、印刷した従来のレシートＲａをレシート発行口１８から発行する（ステップＳ７）。
【００３２】
レシート発行ボタンａが押された旨を受付けていない場合（ステップＳ５：Ｎｏ）には、２次元コードレシート発行ボタンｃが押された旨を受付けたか判定する（ステップＳ８）。２次元コードレシート発行ボタンｃが押された旨を受付けた場合（ステップＳ８：Ｙｅｓ）には、会計情報をコード変換することにより２次元コードを含む印刷データを生成する（ステップＳ９）。そして、プリンタ１７によって、生成した印刷データをレシート用紙に印刷し、レシート発行口１８から２次元コードレシートＲ（図５参照）を発行する（ステップＳ１０）。
【００３３】
ステップＳ９の印刷データ生成処理においては、会計情報をコード変換して２次元コードを生成する２次元コード生成処理が含まれる。次に、印刷データ生成部３７が行う２次元コード生成処理の手順を、図８を用いて説明する。
【００３４】
図８は、印刷データ生成部３７が行う２次元コード生成処理の手順を説明するフローチャートである。図８では一例として、１つの２次元コードに含めることができるデータ量が２０４８バイトである場合について説明するが、１つの２次元コードに含められるデータ量はこれに限られるものではない。
【００３５】
印刷データ生成部３７は、登録画面Ｄにおいて登録された会計情報をＲＡＭのワークエリアに読み込む（ステップＳ１１）。そして、読み込まれた会計情報が２０４８バイト以内であるか判定する（ステップＳ１２）。２０４８バイト以内である場合（ステップＳ１２：Ｙｅｓ）には、会計情報をコード変換して１つの２次元コードを生成する（ステップＳ１４）。
【００３６】
一方、２０４８バイト以内ではない場合（ステップＳ１２：Ｎｏ）には、会計情報を２０４８バイトごとに分割して（ステップＳ１３）、分割した各データをそれぞれ２次元コードに変換して、複数の２次元コードを生成する（ステップＳ１４）。
【００３７】
そして、印刷データ生成部３７は、生成した２次元コードの画像データと、店名等のテキストデータとにより、２次元コードレシートＲに印刷する印刷データを生成し、印刷データ生成処理を終了する。
【００３８】
このように、第１の実施形態のＰＯＳ端末１によれば、２次元コードレシートＲを発行することができるので、会計情報が必要な場合にもレシート用紙の使用量を削減することができる。
【００３９】
また、第１の実施形態によれば、登録画面Ｄからレシートの要・不要および２次元コードレシート発行のいずれか１つを選択することができるので、客の要望に応じたレシート発行方法を簡単に選択することができる。
【００４０】
さらに、第１の実施形態によれば、会計情報が１つの２次元コードに収まり切らない場合であっても、会計情報を複数に分割して複数の２次元コードを生成して２次元コードレシートに印刷するので、会計情報が増えた場合であっても、印字面積をコンパクトに収めることができる。
【００４１】
尚、印刷データ生成部３７は、会計情報から複数の２次元コードを生成する場合には、分割された会計情報のそれぞれに上述した分割番号を含めて、２次元コードをそれぞれ生成するとしてもよい。これにより、複数の２次元コードを読み込む場合であっても、分割番号に基づいてレシートと同じ順番で会計情報を復元することが可能となる。
【００４２】
（第２の実施形態）
図９は、第２の実施形態にかかる２次元コードレシートＲ２の一例を示す図である。図９に示すように、印刷データ生成部３７は、商品の明細情報を含む２次元コードとは別に、一取引の合計金額や支払い方法などの支払い情報を含む２次元コードを生成する。
【００４３】
即ち、印刷データ生成部３７は、会計情報のうち、各商品の品名や金額などの明細情報を含む２次元コードを生成する。また、印刷データ生成部３７は、明細情報を含む２次元コードとは別に、一会計の精算金額や釣り金額に関する情報や、現金払いやカード払い、交通系マネー支払い等の支払い方法などを示す支払い情報を含んだ２次元コードを生成する。
【００４４】
次に、本実施の形態の印刷データ生成部３７が行う２次元コード生成処理の手順について説明する。図１０は、印刷データ生成部３７が行う２次元コード生成処理の手順を説明するフローチャートである。図８ですでに説明した手順については同じ符号を付してここでの説明を省略する。
【００４５】
ステップＳ２１において、印刷データ生成部３７は、合計金額や支払い方法などの支払い情報をコード変換して２次元コードを生成する。次に、印刷データ生成部３７は、明細情報のデータ量が２０４８バイト以内であるか判定し（ステップＳ１２）、以降は図８で上述したように、明細情報をコード変換して２次元コードを生成し、２次元コードレシートＲ２の印刷データを生成する（ステップＳ１２〜Ｓ１４）。
【００４６】
このように、第２の実施形態によれば、合計金額や支払い方法などの支払い情報を、商品の明細情報とは別の２次元コードとしてレシートに印刷することができる。これにより、客は所望する情報に対応する２次元コードのみをＣＣＤカメラ等の撮像素子で読み取って、当該情報を確認したり会計データとして利用したりすることができる。
【００４７】
以上説明した通り、第１および第２の実施形態によれば、選択受付画面としての登録画面Ｄから、従来のレシートＲａを発行するか否か、２次元コードレシートＲ、Ｒ２を発行するか否かの選択を受付けて、受付けた選択に応じてレシートを発行することができる。これにより、不要なレシートの発行を簡単に削減することができる。また、会計情報が必要な場合にも、印刷領域を縮小してレシート長を削減して、レシート用紙の使用量を削減することができる。
【００４８】
なお、本実施形態のＰＯＳ端末１で実行されるプログラムは、ＲＯＭ等に予め組み込まれて提供される。また、本実施の形態のＰＯＳ端末１で実行されるプログラムを、ＨＤＤ４０に記憶するとしてもよい。さらに、本実施形態のＰＯＳ端末１で実行されるプログラムを、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４９】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態の販売データ処理装置で実行されるプログラムをインターネット等のネットワーク経由で提供または配布するように構成しても良い。
【００５０】
本実施形態のＰＯＳ端末１で実行されるプログラムは、上述した各部（表示制御部３５、選択受付部３６、印刷データ生成部３７）を含むモジュール構成となっており、実際のハードウェアとしてはＣＰＵ（プロセッサ）が上記ＲＯＭからプログラムを読み出して実行することにより上記各部が主記憶装置上にロードされ、表示制御部３５、選択受付部３６、印刷データ生成部３７が主記憶装置上に生成されるようになっている。
【００５１】
尚、上述では選択受付ボタン（レシート発行ボタンａ、レシート不要ボタンｂ、２次元コードレシート発行ボタンｃ）を店員用ディスプレイ１５の登録画面Ｄに表示させるとしたが、選択受付ボタンを客用ディスプレイ１６に表示させるとしてもよい。図１１は、客用ディスプレイ１６に表示された選択受付画面の一例を示す正面図である。店員が全商品の登録を終えてキーボード１３または登録画面Ｄの現計キーを押下すると、表示制御部３５は、Ｉ／Ｏ機器制御部３４を介して客用ディスプレイ１６に選択受付画面Ｄを表示する。これにより、客自身がレシートの要・不要または２次元コードレシートＲ、Ｒ２の印刷を選択することが可能となり、店員の案内が聞きづらい場合や、店員の案内が終了するのを待たずにレシート発行方法をすばやく選択することができる。
【００５２】
また、上述では、図５、図６、図９に示したように、２次元コードレシートＲ、Ｒ２に店名や電話番号、レシート番号や会計日時をテキスト印字したが、印刷されるテキスト情報はこれに限定されるものではない。テキスト印字量を減らして、減らした分の会計情報を２次元コードに含めるとしても良い。
【００５３】
また、上述では、コードシンボルとして２次元コードを用いた例について説明したが、コードシンボルは２次元コードに限定されるものではなく、その他のコードシンボルでもよいものとする。
【符号の説明】
【００５４】
１  ＰＯＳ端末
１５  店員用ディスプレイ
１６  客用ディスプレイ
Ｄ  登録画面（選択受付画面）
Ｒａ  従来のレシート
Ｒ、Ｒ２  ２次元コードレシート
３５  表示制御部
３６  選択受付部
３７  印刷データ生成部
【先行技術文献】
【特許文献】
【００５５】
【特許文献１】特開平６−３１４３７７号公報
【特許文献２】特開平８−２２１６６０号公報
【図１】
2012003499.tif 000003
【図２】
2012003499.tif 000004
【図３】
2012003499.tif 000005
【図４】
2012003499.tif 000006
【図５】
2012003499.tif 000007
【図６】
2012003499.tif 000008
【図７】
2012003499.tif 000009
【図８】
2012003499.tif 000010
【図９】
2012003499.tif 000011
【図１０】
2012003499.tif 000012
【図１１】
2012003499.tif 000013